(57)【要約】      （修正有）【課題】スムーズに人体の排泄物が汚物袋にまで流れる、汚物袋に使用する接続チューブの構造を提供する。【解決手段】主に軟性チューブ１０と導管１１，１２、粘着防止の凸棒２０で構成する。軟性チューブは人体の肛門内に挿入する第一端と、第一端の反対側に位置し、汚物袋と接続する第二端を具有する。該導管は軟性チューブの内側に位置し、該第一端にまで延伸し、粘着防止の凸棒を該軟性チューブの内壁に形成することにより、接続チューブの内壁での粘着を防止する。【選択図】図２
0003168383.tif 000002
【実用新案登録請求の範囲】
【請求項１】
接続チューブ、軟性チューブ、導管、粘着防止の凸棒を含み、
該接続チューブは人体の肛門内に挿入し、それに含まれるのは軟性チューブと導管、粘着防止の凸棒であり、
該一つの軟性チューブは人体の肛門内に挿入する第一端と、第一端の反対側に位置し、汚物袋と接続する第二端を具有し、
該一つの導管は軟性チューブの内側に位置し、該第一端にまで延伸し、及び、
該複数の粘着防止の凸棒を該軟性チューブの内壁に形成することを特徴とする汚物袋に使用する接続チューブの構造。
【請求項２】
前記軟性チューブの素材はプラスティック或いはゴムの材料で作られ、該軟性チューブの第一端に拡張できる気嚢を具有し、該拡張できる気嚢は空気を入れると、人体の肛門の内壁にしっかりと抵触し、該第二端に接続部を設置し、該接続部は軟性チューブの第二端に位置し、汚物袋の開口内に挿入すると、軟性チューブの第二端と汚物袋がしっかり接続できることを特徴とする請求項１記載の汚物袋に使用する接続チューブの構造。
【請求項３】
前記接続部に密封蓋を設け、該第二端を密封することを特徴とする請求項２記載の汚物袋に使用する接続チューブの構造。
【請求項４】
前記導管の本数は２本とし、それぞれ第一導管及び第二導管であり、該第一導管及び第二導管は軟性チューブの内壁に一体成形で形成することを特徴とする請求項２記載の汚物袋に使用する接続チューブの構造。
【請求項５】
前記第一導管の一端は第一端と通じ、別端は一つの空気入れ部品と接続し、
該空気入れ部品から空気を第一導管内入れることができ、同時に拡張できる気嚢に空気を入れることができることを特徴とする請求項４記載の汚物袋に使用する接続チューブの構造。
【請求項６】
前記第二導管の一端は該第一端と通じ、別端に注入部を設け、流体を該注入部内に入れると、第二導管を通じて人体の肛門内に注入できることを特徴とする請求項４記載の汚物袋に使用する接続チューブの構造。
【請求項７】
前記粘着防止の凸棒の断面は三角形或いは半円形とすることを特徴とする請求項１或いは請求項４記載の汚物袋に使用する接続チューブの構造。
【請求項８】
前記粘着防止の凸棒は、該軟性チューブの軸方向と平行に延伸することを特徴とする請求項１或いは請求項４記載の汚物袋に使用する接続チューブの構造。
【請求項９】
前記粘着防止の凸棒は該軟性チューブの内壁を取り囲むように形成し、該粘着防止の凸棒は軟性チューブの軸方向に沿って、互いに間隔をあけて形成するコイル状のものであることを特徴とする請求項１或いは請求項４記載の汚物袋に使用する接続チューブの構造。
【請求項１０】
前記該粘着防止の凸棒は該軟性チューブの内壁で形成し、螺旋状に軟性チューブの内壁に沿って形成することを特徴とする請求項１或いは請求項４記載の汚物袋に使用する接続チューブの構造。
【考案の詳細な説明】
【技術分野】
【０００１】
本考案は医療器材、特に汚物袋に接続するチューブ構造に関し、人体の肛門に挿入し、人体の排泄物を入れる汚物袋に使用する接続チューブの構造に関する。
【背景技術】
【０００２】
テクノロジーが日進月歩するのにつれ、医学設備と器材も大幅に進歩し、長期病院や自宅で寝たきりの患者が増えている。大便失禁の患者には、肛門に接続チューブを挿入し、排泄物を汚物袋に導引する。
【０００３】
しかし、従来技術の接続チューブの内壁は滑々としたものであり、外部の大気圧や汚物内に含まれる流体成分の表面の張力に、接続チューブが折れ曲がる場合は全て、接続チューブの内壁を互いに粘着させる恐れがあり、いずれの状況でも、接続チューブが詰まり、汚物が流れなくなる。再び接続チューブがスムーズに汚物を流せるようにするには、一度接続チューブを人体の肛門から抜き出し、接続チューブ内に空気を入れ、粘着している内壁を剥がす必要がある。患者にとっても、看護する方にとってもかなり不便であるため、更なる改善が必要であった。
【先行技術文献】
【特許文献】
【０００４】
【特許文献１】実用新案登録第３１６５８５１号
【考案の概要】
【考案が解決しようとする課題】
【０００５】
上述した公知構造の欠点を解決するため、本考案は接続チューブの内壁の粘着を防止する汚物袋に使用する接続チューブの構造を提供することを主な課題とする。
【課題を解決するための手段】
【０００６】
前記課題を解決するために、本考案は人体の肛門に挿入する汚物袋に使用する接続チューブの構造を提供する。該接続チューブに含まれるのは、軟性チューブ、導管、粘着防止の凸棒である。
【０００７】
該軟性チューブは、人体の肛門内に挿入する第一端と、第一端の反対側に位置し、汚物袋と接続する第二端を具有する。少なくとも一つの導管は軟性チューブの内側に位置し、該第一端にまで延伸する。及び、複数の粘着防止の凸棒を該軟性チューブの内壁に形成する。
【０００８】
本考案の接続チューブの軟性チューブの内壁に複数の粘着防止の凸棒を形成し、これらの凸棒が軟性チューブの内壁から突出することで、平らで滑らかな表面である軟性チューブの内壁が互いに粘着して剥がれないのを防止することができるため、接続チューブがくっつかず、人体の排泄物をスムーズに汚物袋まで流すことができる。
【考案の効果】
【０００９】
本考案は軟性チューブの内壁に複数の粘着防止の凸棒を形成することにより、軟性チューブの内壁が互いに粘着するのを防止することができ、人体の排泄物をスムーズに汚物袋にまで流すことができる。
【図面の簡単な説明】
【００１０】
【図１】本考案における操作略図の立体図である。
【図２】本考案における局部の立体拡大図である。
【図３】本考案における断面図である。
【図４】本考案の接続チューブが押された際の断面図である。
【図５】本考案の第二実施例の断面図である。
【図６】本考案の第三実施例であり、軟性チューブの軸線方向の断面図である。
【考案を実施するための形態】
【実施例】
【００１１】
本考案による汚物袋に使用する接続チューブの構造を明確に示すために図に沿って詳細な説明を行う。しかし、添付する図は説明しやすくするためのものであり、これにより本考案の保護範囲が限定されるものではない。
【００１２】
図１に示すように、本考案は汚物袋１００に使用する接続チューブ１の構造であり、該汚物袋１００に人体の排泄物（例えば：糞便）を入れるものである。該汚物袋１００は一つの開口（未掲載）を具有する。チューブ１の一端を人体の肛門（未掲載）内に挿入し、別端は汚物袋１００に接続する。人体の排泄物は該チューブ１を通じて、汚物袋１００内に入る。
【００１３】
該チューブ１に含まれるのは一つの軟性チューブ１０、二本の導管１１、１２及び複数の粘着防止の凸棒２０(図２参照)である。
【００１４】
軟性チューブ１０の素材はプラスティック或いはゴムの材料で作られた柔軟性のあるものであり、該軟性チューブ１０は人体の肛門内に挿入する第一端１０ａ及び、第一端１０ａの反対側に位置し、汚物袋１００と接続する第二端１０ｂを具有する。該軟性チューブ１０の第一端１０ａに拡張できる気嚢１３を具有し、第二端１０ｂに接続部１４を設置する。該接続部１４は軟性チューブ１０の第二端１０ｂに位置し、汚物袋１００の開口内に挿入すると、軟性チューブ１０の第二端１０ｂと汚物袋１００がしっかり接続することができる。
【００１５】
該接続部１４は密封蓋１４１を設置し、該第二端１０ｂを密封することができる。ユーザーが汚物袋１００内にある汚物を破棄する際、まず汚物袋１００を軟性チューブ１０の第二端１０ｂと離してから、密封蓋１４１を使って、軟性チューブ１０の第二端１０ｂを密閉することができ、軟性チューブ１０内の残余する汚物が軟性チューブ１０を伝って外部に漏れるのを防止することができる。
【００１６】
二本の導管１１、１２とは、第一導管１１及び第二導管１２であり、該軟性チューブ１０の内側に位置し、該第一端１０ａまで延伸する。図２で分かるように、第一導管１１と第二導管１２は軟性チューブ１０の内壁で一体成形する。第一導管１１の別端は空気入れ部品１５と接続する。このような構造により、ユーザーは空気入れ部品１５から空気を第一導管１１内に入れることができ、同時に拡張できる気嚢１３に空気を入れることができる。第二導管１２の一端に注入部１６を設けることで、治療スタッフが薬剤や洗浄液などの流体を該注入部１６に入れ、第二導管１２を通じて人体の肛門内に入れることができる。
【００１７】
使用する際、該軟性チューブ１０の第一端１０ａを患者の肛門内に挿入し、第二端１０ｂを汚物袋１００に接続したあと、ユーザーは空気入れ部品１５を使って、拡張できる気嚢１３に空気を入れる。拡張できる気嚢１３は空気を入れると体積が大きくなるため、肛門の内壁にしっかりと抵触することで、軟性チューブ１０が簡単に肛門から抜けず、しっかりと肛門内に固定する。治療スタッフが該患者の直腸或いは大腸の内壁に液体を注入する場合、薬剤或いは洗浄液などの流体を該注入部１６に入れ、第二導管１２を通じて人体の肛門内に入れることができる。
【００１８】
図２及び図３に示すように、軟性チューブ１０の内壁に複数の粘着防止の凸棒２０を形成する。該粘着防止の凸棒２０は６本あり、それぞれの断面は三角形になるように作られる。図４に示すように、軟性チューブ１０の向かい合う側が外力により押される際、軟性チューブ１０は押された二つの内壁が互いに近づく。しかし、該軟性チューブ１０の内壁に粘着防止の凸棒２０を形成するため、該軟性チューブ１０の向かい合う二つの内壁がくっつかず、互いに粘着することができない。
【００１９】
図４に示すように、二本の粘着防止の凸棒２０が互いに抵触するために、軟性チューブ１０の向かい合う二つの内壁が粘着しないのだが、たとえ二本の粘着防止の凸棒２０が互いに抵触せず、それぞれ軟性チューブ１０の向かい合う内壁に抵触するとしても、凸棒２０によって内壁同士がくっつかないため、向かい合う二つの内壁が粘着するのを防止することができる。
【００２０】
図５に示すのは、本考案の第二実施例である。第二実施例と第一実施例の違いとは、該粘着防止の凸棒２０’の断面が三角形ではなく、半円形である。
【００２１】
図６に示すのは、本考案の第三実施例である。第三実施例と前記の実施例との違いとは、前記二つの実施例にある粘着防止の凸棒２０、２０’は、軟性チューブ１０の軸方向と平行に延伸しているが、第三実施例の粘着防止の凸棒２０”は、軟性チューブ１０の内壁を取り囲むように形成している。該粘着防止の凸棒２０”の形成方法とは、「間隔を置いて取り囲む」或いは「連続して取り囲む」とすることができる。明確に説明すると、「間隔を置いて取り囲む」場合では、図６に示すように、各粘着防止の凸棒２０”は内壁を一周する粘着防止の凸棒であり、何周もの粘着防止の凸棒２０”は軟性チューブ１０の軸方向に沿って、互いに間隔をあけてコイル状を形成し、軟性チューブ１０の内壁が粘着するのを防止する。
【００２２】
図に未掲載であるが、該粘着防止の凸棒２０”は螺旋状に軟性チューブ１０の内壁に沿って形成することもできる。
【００２３】
図６に示す第三実施例の粘着防止の凸棒２０”の断面は半円形としているが、三角形や四辺形或いは多辺形にすることもできる。
【符号の説明】
【００２４】
１  接続チューブ
１０  軟性チューブ
１０ａ  第一端
１０ｂ  第二端
１１  第一導管
１２  第二導管
１３  拡張できる気嚢
１４  接続部
１４１  密封蓋
１５  空気入れ部品
１６  注入部
２０、２０’、２０”  粘着防止の凸棒
１００  汚物袋
【図１】
0003168383.tif 000003
【図２】
0003168383.tif 000004
【図３】
0003168383.tif 000005
【図４】
0003168383.tif 000006
【図５】
0003168383.tif 000007
【図６】
0003168383.tif 000008